(57)【要約】【課題】光源を従来のフィラメントから発光素子に置き換えた場合、インバータ式安定器の出力電流が蛍光灯の場合より高くなる場合があったとしても発光素子を劣化させず長寿命を維持することができるようにすること。【解決手段】照明器具の高周波インバータ安定器２に接続されて使用される蛍光灯型ＬＥＤランプ３である。複数の発光素子ＬＥＤ１，ＬＥＤ２の接続は電流検出回路１２の制御出力を受けてＬＥＤ接続切替回路１３にて切り替えられる。インバータ式安定器２の出力電流が予め設定された電流値を越える場合、発光素子ＬＥＤ１，ＬＥＤ２の接続を直列接続から並列接続に切り替えられ、逆の場合には並列接続から直列接続に切り替えられる。【選択図】図１
2015109164.tif 000002
【特許請求の範囲】
【請求項１】
照明器具の高周波インバータ安定器に接続されて使用される蛍光灯型ＬＥＤランプであって、
高周波インバータ安定器側の第１受け端子対、第２受け端子対に対となってそれぞれ接続される第１プラグ端子対、第２プラグ端子対とを備え、
前記第１端子対、第２端子対の出力側に抵抗をそれぞれ接続すると共に第１端子対の抵抗２の出力端同士、第２端子対の抵抗の出力端同士を接続したインピーダンス回路と、
インピーダンス回路の出力端に接続され、インバータ式安定器の出力電流を整流する整流回路と、
整流回路の出力に接続された複数の発光素子と、
インピーダンス回路と整流回路の間に設けられ、インバータ式安定器の出力電流を検出する電流検出回路と、
電流検出回路の制御出力を受けて、複数の発光素子の接続を切り替えるＬＥＤ接続切替回路とを内蔵し、
インバータ式安定器の出力電流が予め設定された電流値を越える場合、発光素子の接続を直列接続から並列接続に切り替え、逆の場合には並列接続から直列接続に切り替えることを特徴とする蛍光灯型ＬＥＤランプ。
【請求項２】
整流回路の出力ラインを分岐し、一方の分岐ラインに発光素子を設け、他方の分岐ラインに他の発光素子を設け、
一方の分岐ラインにおいて、発光素子の出力側に設けられたスイッチ、
他方の分岐ラインにおいて、発光素子の入力側に設けられたスイッチ、及び
一方の発光素子とその出力側に設けられたスイッチとの間と、他方の発光素子とその入力側に設けられたスイッチとその間に設けられ、
両分岐ラインの両スイッチがオフの時にオンとなって両分岐ラインを短絡させて両発光素子の接続を直列接続とし、
両分岐ラインの両スイッチがオンの時にオフとなって両分岐ラインを遮断して両発光素子の接続を並列接続とするスイッチとでＬＥＤ接続切替回路が構成されていることを特徴とする請求項１に記載の蛍光灯型ＬＥＤランプ。
【発明の詳細な説明】
【技術分野】
【０００１】
本発明は高周波で点灯させる、主として既設の蛍光灯器具のインバータ式安定器に直接取り付けることが可能な蛍光灯型ＬＥＤランプに関する。
【背景技術】
【０００２】
従来、一般照明用として照明器具には白熱電球や蛍光灯を使用している。特に、蛍光灯は白熱電球に比べて消費電力、発熱、寿命などの点で優れており広く使用されている。また、蛍光灯も直管型だけでなく、直管型蛍光灯をＵ字状に２，３回折り曲げて全長を短くしたようなコンパクト蛍光灯なども広く使用されている。しかしながら、蛍光灯の寿命は器具に使用されている安定器に比べると短く、ある程度の割合で交換する必要がある。
【０００３】
これに対して近年、蛍光灯に比べて遥かに寿命が長く、消費電力も少ない発光ダイオード（以下、発光素子と称する。）が注目されており、従来の蛍光灯の代用として発光素子を光源とした蛍光灯型ＬＥＤランプの使用が要望されていた。その場合、従来の蛍光灯用の照明器具にそのまま使用できることが求められる。
【０００４】
前述の発光素子を光源とした蛍光灯型ＬＥＤランプの一例として、特許文献１に記載のものが挙げられる。蛍光灯と同じ形状の管と口金を備え、その内部に複数の発光素子と、供給された交流を脈流に変換する整流回路と、前記脈流を疑似的な直流に変換する平滑回路が装備された点灯回路とを収納し、従来の蛍光灯用の照明器具に内蔵されているインバータ式安定器からの高周波電流が全波整流回路に直接供給される回路構成とし、その口金を従来の蛍光灯用照明器具に装填することで内部の発光素子を連続点灯動作させることができる蛍光灯型ＬＥＤランプが開発されている。
【０００５】
しかしながら、特許文献１に記載の発明回路では、従来の蛍光灯用照明器具に内蔵されているインバータ安定器から高周波電流が全波整流回路に直接供給される回路構成となっており、ＬＥＤに流れる電流はインバータ安定器の特性に依存している。従ってＬＥＤに過大な電流が流れて短寿命を招く恐れがあった。
【０００６】
特許文献２に記載の発明（図５）では、蛍光灯型ＬＥＤランプ３２に直列に定電流回路３３を接続することで、ＬＥＤ電流の安定化を図り、既設の高周波インバータ３９に対しても蛍光灯型ＬＥＤランプ３２の適用が可能となるようにし、長寿命効果を達成しようとしている。
【０００７】
前述のように電源供給側の既設の高周波インバータ３９から供給される電流は器具の種類によって異なるので、定電流回路３３で吸収しきれない電流は入力電流抑制用のインダクタンス素子Ｌ３２にバイパスさせることで対応している。高周波インバータ３９の負荷として蛍光灯２３から蛍光灯型ＬＥＤランプ３２に置き換える際、このようなリアクタンス成分（インダクタンスあるいはキャパシタンス）は高周波インバータ３９の動作に影響を与え、高周波インバータ３９の動作が不安定になったり最悪破損する恐れがある。
【０００８】
この点をインバータ式安定器の動作と合わせてもう少し詳しく説明する。インバータ式安定器２を備えた従来のインバータ形蛍光灯器具の回路の一例を図４に示す。ＡＣ入力電圧１はインバータ式安定器２の入力回路４に供給され、直流に変換してＦＥＴＱ１・Ｑ２で構成するハーフブリッジ回路６に供給される。入力回路４は整流回路（図示せず）、ノイズフィルタ（図示せず）などで構成される。
【０００９】
発振回路５はハーフブリッジ回路６のＦＥＴＱ１・Ｑ２を交互にオン・オフさせる高周波の周波数を決めている。蛍光灯２３には、第１プラグ端子対（ａ１,ａ２）、第２プラグ端子対（ｂ１,ｂ２）、フィラメント（Ｆ２１,Ｆ２２）が備わっている。インバータ式安定器２側には蛍光灯２３の第１プラグ端子対（ａ１,ａ２）、第２プラグ端子対（ｂ１,ｂ２）が接続される第１受け端子対（Ａ１,Ａ２）、第２受け端子対（Ｂ１,Ｂ２）が備わっている。
【００１０】
そして、蛍光灯２３にはコンデンサＣ１、リアクトルＬ１、一方の第１受け端子Ａ１と一方の第１プラグ端子ａ１、フィラメントＦ２１、他方の第１プラグ端子ａ２と他方の第１受け端子Ａ２、コンデンサＣ２２、一方の第２受け端子対Ｂ２、一方の第２プラグ端子ｂ２、フィラメントＦ２２、他方の第２プラグ端子ｂ１、他方の第２受け端子Ｂ１の経路で電流が流れ、蛍光灯２３のフィラメントＦ２１，Ｆ２２を加熱する。コンデンサＣ１、リアクトルＬ１、コンデンサＣ２の直列共振回路によりフィラメントＦ２１,Ｆ２２間に高圧が発生し、蛍光灯２３が放電開始する。放電後はコンデンサＣ１、リアクトルＬ１、一方の第１受け端子Ａ１、一方の第１プラグ端子ａ１、フィラメントＦ２１，Ｆ２２、他方の第２プラグ端子ｂ１、他方の第２受け端子Ｂ１の経路で蛍光灯２３に規定の定電流が流れる。
【００１１】
蛍光灯２３を図５の蛍光灯型ＬＥＤランプ３２に置き換えてインバータ式安定器２にそのまま接続する場合、省エネの目的によりＬＥＤ電圧は蛍光灯２３の電圧より低く選択するのが通常である。インバータ式安定器２の出力電流は基本的に定電流で供給される。例えばＦＨＴ型コンパクト蛍光灯２３の場合、ＪＩＳにより４２型はＴｙｐ０．３２Ａ、３２型はＴｙｐ０．３２Ａ、 ２４型はＴｙｐ０．３Ａとなっている。インバータ式安定器２は４２型、３２型、２４型の各蛍光灯２３に共有で使用できるようにするため、ランプ電圧８０Ｖ，１００Ｖ，１３５Ｖに対応して最近は広い電圧範囲で定電流になっているものが多い。従ってインバータ式安定器２の出力電流はＪＩＳに規定の定電流を想定して蛍光灯２３より電圧の低い蛍光灯型ＬＥＤランプ３２に置き換えれば基本的には期待した定電流が発光素子３２ａ〜３２ｎに流れるはずである。
【００１２】
しかしながらインバータ回路３９によっては、３２型専用もあり、それは３２型の蛍光灯２３のランプ電圧１００Ｖでは０．３２Ａであるがランプ電圧が低くなると、電流が大きくなるものがある。このようなインバータ式安定器２に上記の電圧の低い蛍光灯型ＬＥＤランプ３２を接続すると期待した電流を越えて発光素子３２ａ〜３２ｎに大電流が流れ、発光素子３２ａ〜３２ｎの温度が高くなって短寿命を招くなど問題があった。
【先行技術文献】
【特許文献】
【００１３】
【特許文献１】特開平１１‐１３５２７４号公報
【特許文献２】特開２０１１‐２４３３３１号公報
【発明の概要】
【発明が解決しようとする課題】
【００１４】
本発明は、高周波で点灯させる蛍光灯器具のインバータ式安定器に直接取り付けることが可能な蛍光灯型ＬＥＤランプにおいて、光源を従来のフィラメント式蛍光灯から発光素子に置き換えた場合、インバータ式安定器の出力電流が蛍光灯の場合より高くなる場合があったとしても発光素子を劣化させず長寿命を維持することができるようにすることをその課題とする。
【課題を解決するための手段】
【００１５】
請求項１に記載の発明は、
照明器具の高周波インバータ安定器２に接続されて使用される蛍光灯型ＬＥＤランプ３であって、
高周波インバータ安定器２側の第１受け端子対Ａ１，Ａ２、第２受け端子対Ｂ１，Ｂ２に対となってそれぞれ接続される第１プラグ端子対ａ１，ａ２、第２プラグ端子対ｂ１，ｂ２とを備え、
前記第１端子対ａ１，ａ２、第２端子対ｂ１，ｂ２の出力側に抵抗Ｒ１〜Ｒ４をそれぞれ接続すると共に第１端子対ａ１，ａ２の抵抗Ｒ１，Ｒ２の出力端同士、第２端子対ｂ１，ｂ２の抵抗Ｒ３，Ｒ４の出力端同士を接続したインピーダンス回路８と、
インピーダンス回路８の出力端に接続され、インバータ式安定器２の出力電流を整流する整流回路９と、
整流回路９の出力に接続された複数の発光素子ＬＥＤ１，ＬＥＤ２と、
インピーダンス回路８と整流回路９の間に設けられ、インバータ式安定器２の出力電流を検出する電流検出回路１２と、
電流検出回路１２の制御出力を受けて、複数の発光素子ＬＥＤ１，ＬＥＤ２の接続を切り替えるＬＥＤ接続切替回路１３とを内蔵し、
インバータ式安定器２の出力電流が予め設定された電流値を越える場合、発光素子ＬＥＤ１，ＬＥＤ２の接続を直列接続から並列接続に切り替え、逆の場合には並列接続から直列接続に切り替えることを特徴とする。
【００１６】
請求項２に記載の発明は、請求項１において、
整流回路９の出力ラインを分岐し、一方の分岐ラインＢＬ１に発光素子ＬＥＤ１を設け、他方の分岐ラインＢＬ２に他の発光素子ＬＥＤ２を設け、
一方の分岐ラインＢＬ１において、発光素子ＬＥＤ１の出力側に設けられたスイッチＳＷ３と、
他方の分岐ラインＢＬ２において、発光素子ＬＥＤ２の入力側に設けられたスイッチＳＷ２、及び
一方の発光素子ＬＥＤ１とその出力側に設けられたスイッチＳＷ３との間と、他方の発光素子ＬＥＤ２とその入力側に設けられたスイッチＳＷ２とその間に設けられ、分岐ラインＢＬ１と分岐ラインＢＬ２のスイッチＳＷ２，ＳＷ３がオフの時にオンとなって分岐ラインＢＬ１と分岐ラインＢＬ２とを短絡させて発光素子ＬＥＤ１，ＬＥＤ２の接続を直列接続とし、
スイッチＳＷ２，ＳＷ３がオンの時にオフとなって分岐ラインＢＬ１と分岐ラインＢＬ２とを遮断して発光素子ＬＥＤ１，ＬＥＤ２の接続を並列接続とするスイッチＳＷ１とでＬＥＤ接続切替回路１３が構成されていることを特徴とする。
【発明の効果】
【００１７】
以上により、高周波で発光素子を点灯させる蛍光灯器具のインバータ式安定器に直接取り付けることが可能な蛍光灯型ＬＥＤランプにおいて、多種類が存在するインバータ式安定器の出力電流特性に応じて複数の発光素子を直・並列に切り替え、発光素子の発熱が異常に上昇しないようにすることができ、蛍光灯型ＬＥＤランプの長寿命を維持できるようになった。
【図面の簡単な説明】
【００１８】
【図１】本発明の回路図である。
【図２】安定器のランプ電流（縦軸）−ランプ電圧（横軸）の比較グラフである。
【図３】安定器のランプ電力（縦軸）−ランプ電圧（横軸）の比較グラフである。
【図４】従来の蛍光灯の回路図である。
【図５】従来の蛍光灯型ＬＥＤランプ（特許文献２）の回路図である。
【発明を実施するための形態】
【００１９】
以下、本発明の一実施例を図１に従って説明する。照明器具には高周波インバータ安定器２が内蔵されており、外部商用電源からＡＣ入力電圧１が供給されている。高周波インバータ安定器２は、既設の照明器具に内蔵されたものを使用するので、従来と同じものである。即ち、ＡＣ入力電圧１が供給される入力回路４、入力回路４の出力側に接続されたＦＥＴＱ１・Ｑ２で構成されたハーフブリッジ回路６、ＦＥＴＱ１・Ｑ２を交互にオン・オフさせる発振回路５、ハーフブリッジ回路６の出力側に接続されるコンデンサＣ１と、リアクトルＬ１、従来の蛍光灯２３（勿論、蛍光灯型ＬＥＤランプ３にも適用される）の第１プラグ端子対（ａ１,ａ２）、第２プラグ端子対（ｂ１,ｂ２）が接続される第１受け端子対（Ａ１,Ａ２）、第２受け端子対（Ｂ１,Ｂ２）、及び第１受け端子対（Ａ１,Ａ２）の他方の端子Ａ２と第２受け端子対（Ｂ１,Ｂ２）の他方の端子Ｂ２との間に接続されたコンデンサＣ２とで構成されている。なお、リアクトルＬ１の出力側は第１受け端子対（Ａ１,Ａ２）の一方の端子Ａ１に接続されている。
【００２０】
従来の蛍光灯２３には、端子として、第１プラグ端子対（ａ１,ａ２）、第２プラグ端子対（ｂ１,ｂ２）が備わっている。従って、本発明の蛍光灯型ＬＥＤランプ３に於いても端子として、同じ第１プラグ端子対（ａ１,ａ２）、同じ第２プラグ端子対（ｂ１,ｂ２）が備わっている。第１プラグ端子対（ａ１,ａ２）の一方のプラグ端子ａ１の出力側には抵抗Ｒ１が接続され、他方のプラグ端子ａ１の出力側には抵抗Ｒ２が接続され、第２プラグ端子対（ｂ１,ｂ２）の一方のプラグ端子ｂ１の出力側には抵抗Ｒ３が接続され、他方のプラグ端子ｂ２の出力側には抵抗Ｒ４が接続され、抵抗Ｒ１，Ｒ２の出力側、抵抗Ｒ３，Ｒ４の出力側はそれぞれ接続されて、抵抗Ｒ１〜Ｒ４にてインピーダンス回路８が構成されている。インピーダンス回路８の抵抗Ｒ１〜Ｒ４は従来の蛍光灯２３のフィラメントＦ２１，Ｆ２２の替わりとして用いられるものであるため、該抵抗Ｒ１〜Ｒ４はフィラメントＦ２１，Ｆ２２の抵抗と同等の数Ω程度が適切である。
【００２１】
インピーダンス回路８の出力側にはダイオードＤ１〜Ｄ４をフル・ブリッジ（ダイオードブリッジ）に組んだ整流回路９が設けられている。そしてインピーダンス回路８の抵抗Ｒ１，Ｒ２の接続点Ｐ１と、整流回路９のダイオードＤ１・Ｄ２の入力側接続点Ｐ２との間に検出抵抗Ｒ５が介挿され、検出抵抗Ｒ５の両端にインバータ式安定器２の出力電流を検出する検出回路１１が設置され、電流検出回路１２を構成している。これは図示しないカレントセンサーを用いても良い。なお、抵抗Ｒ３とＲ４の接続点Ｐ３と整流回路９の出力側接続点Ｐ４とが接続されている。
【００２２】
前記整流回路９のダイオードＤ１・Ｄ２にはインバータ式安定器２の出力電流が高周波であるため高速ダイオードを使用するのが好ましい。更に、万一の高圧に対して耐電圧の高い高圧ダイオードを使用するのが望ましい。
【００２３】
整流回路９の出力側は発光素子数に合わせて分岐され、各分岐ラインに発光素子が設置され、各分岐ラインの発光素子の接続を直列・並列で切り替えるＬＥＤ接続切替回路１３が設けられている。発光素子数は２以上で従って分岐も同数であるが、本実施利では発光素子数が２セットである。以下、発光素子が２セットの場合を中心に説明する。整流回路９の出力ラインは２つに分岐されており、分岐ラインＢＬ１には発光素子ＬＥＤ１が、分岐ラインＢＬ２には発光素子ＬＥＤ２が設けられている。
【００２４】
そして、分岐ラインＢＬ１の発光素子ＬＥＤ１の出力側に設けられて分岐ラインＢＬ１を開閉するスイッチＳＷ３、分岐ラインＢＬ２の発光素子ＬＥＤ２の入力側に設けられて分岐ラインＢＬ２を開閉するスイッチＳＷ２、及び発光素子ＬＥＤ１の出力側とスイッチＳＷ３との間、発光素子ＬＥＤ２の入力側とスイッチＳＷ２との間にスイッチＳＷ１が設けられ、これらスイッチＳＷ１〜ＳＷ３でＬＥＤ接続切替回路１３が構成されて当該部位において分岐ラインＢＬ１と分岐ラインＢＬ２とを断接させる働きをなす。
【００２５】
しかして、蛍光灯型ＬＥＤランプ３を装着し、ＡＣ入力電圧１を投入すると、投入の最初は発光素子ＬＥＤ１，ＬＥＤ２のインピーダンスは高いのでインバータ安定器２中のコンデンサＣ１、リアクトルＬ１、受け端子Ａ１へと電流が流れ、蛍光灯型ＬＥＤランプ３ではそのプラグ端子ａ１、抵抗Ｒ１、抵抗Ｒ２、プラグ端子ａ２へと流れ、インバータ安定器２側に戻り、その受け端子Ａ２、コンデンサＣ２、受け端子Ｂ２を通って、再度、蛍光灯型ＬＥＤランプ３のプラグ端子ｂ２、抵抗Ｒ４、抵抗Ｒ３、プラグ端子ｂ１に至り、ここからインバータ安定器２側の受け端子Ｂ１という経路で電流が流れてインバータ式安定器２が動作を開始する。その結果、第１の端子対Ａ１，ａ１・Ａ２，ａ２と第２の端子対対Ｂ１，ｂ１・Ｂ２，ｂ２の両端の電位が上昇し始め、発光素子ＬＥＤ１，ＬＥＤ２の順方向電圧を越えた処で整流回路９を介して発光素子ＬＥＤ１，ＬＥＤ２に電流が流れ始める。そして、発光素子ＬＥＤ１，ＬＥＤ２の電圧で制限されて、インバータ式安定器２の特性で決まる定電流が発光素子ＬＥＤ１，ＬＥＤ２に流れる。
【００２６】
インバータ安定器２からの出力電流は、抵抗Ｒ５を流れた際の抵抗Ｒ５の電圧を電流検出回路１２で検出することで行う。電流検出回路１２で検出した該出力電流値が予め設定された電流値（閾値）以下の場合、スイッチＳＷ２，ＳＷ３がオフ状態、スイッチＳＷ１がオン状態に制御され、発光素子ＬＥＤ１，ＬＥＤ２は直列接続となり点灯する。
【００２７】
逆に、電流検出回路１２で検出した該出力電流値が予め設定された電流値（閾値）以上の場合、スイッチＳＷ２，ＳＷ３がオン状態、スイッチＳＷ１がオフ状態に制御され、発光素子ＬＥＤ１，ＬＥＤ２は並列接続となり点灯する。スイッチＳＷ１〜ＳＷ３のオン・オフはＬＥＤ接続切替回路１３にて行う。
【００２８】
以下、この点を更に詳述する。図２は一例として安定器Ａと安定器Ｂの出力電流（＝ランプ電流：縦軸）対ランプ電圧（横軸）特性を示す。図３は安定器Ａと安定器Ｂの出力電力（＝ランプ電力：縦軸）対ランプ電圧（横軸）特性を示す。
【００２９】
安定器Ａは例えばＦＨＴの４２型、３２型、２４型に共用のため広い電圧範囲（図では２７Ｖ〜１３５Ｖ）で定電流０．３２Ａの特性になっている。一方、安定器Ｂは３２型専用であり、３２型蛍光灯のランプ電圧１００Ｖでは０．３２Ａであるが、ランプ電圧が低くなるとランプ電流は増加傾向を示す。
【００３０】
【表１】
2015109164.tif 000003
【００３１】
【表２】
2015109164.tif 000004
【００３２】
蛍光灯２３から蛍光灯型ＬＥＤランプ３に置き換える場合、発光素子を例えば図１に示すようにＬＥＤ１とＬＥＤ２の２個の素子を使用する。各発光素子ＬＥＤ１，ＬＥＤ２の順方向電圧を一例としてＶｆ１約２７Ｖとする。電流検出回路９の閾値（＝予め設定された電流値）を例えばＩｔｈ＝０．３６Ａ設定とする。インバータ式安定器２が安定器ＡならばＩ（＝０．３２Ａ）で閾値Ｉｔｈ（＝０．３６Ａ）より低いので、ＬＥＤ接続切替回路１３を制御して２個の発光素子ＬＥＤ１，ＬＥＤ２を直列接続にする。スイッチＳＷ１＝オン、スイッチＳＷ２、ＳＷ３＝オフとなる。
【００３３】
蛍光灯型ＬＥＤランプ３への供給電力は概ねＰ＝（２７Ｖ×２）×０．３２Ａ＝１７Ｗである。供給電力の最大はＩｔｈ＝０．３６Ａを想定し、Ｐｍａｘ＝（２７Ｖ×２）×０．３６Ａ＝１９．４Ｗであり、発光素子ＬＥＤ１，ＬＥＤ２の放熱はＰｍａｘを想定して適切に設計される。
【００３４】
もしインバータ式安定器２が安定器Ｂのような場合、Ｉ（＝０．４２Ａ）で閾値Ｉｔｈ（＝０．３６Ａ）より高いので、ＬＥＤ接続切替回路１３を制御して２個の発光素子ＬＥＤ１，ＬＥＤ２を並列接続に切り替える。スイッチＳＷ１＝オフ、スイッチＳＷ２、ＳＷ３＝オンとなる。その結果、図２より、ランプ電圧は約２７Ｖに低下し、ランプ電流はさらに上昇してＩ＝０．４６Ａとなる。しかしながら発光素子ＬＥＤ１，ＬＥＤ２に流れる電流は半分に分流される。蛍光灯型ＬＥＤランプ３への供給電力は概ね Ｐ＝２７Ｖ×０．４６Ａ＝１２ＷとなりＰｍａｘ＝１９．４Ｗより低いので発光素子ＬＥＤ１，ＬＥＤ２の発熱の点では問題なくなる。
【００３５】
もし、発光素子ＬＥＤ１，ＬＥＤ２が直列接続のままであると蛍光灯型ＬＥＤランプ３への供給電力は概ねＰ＝（２７×２）×０．４６Ａ＝２３Ｗと高くなりＰｍａｘ＝１９．４Ｗを超えるので、発光素子ＬＥＤ１，ＬＥＤ２の発熱が上昇しＬＥＤの寿命を劣化させることになる。
【符号の説明】
【００３６】
１…ＡＣ入力電圧，２…インバータ式安定器，３…蛍光灯型ＬＥＤランプ，４…入力回路，５…発振回路，６…ハーフブリッジ回路，８…インピーダンス回路，９…整流回路，１１…検出回路，１２…電流検出回路，１３…ＬＥＤ接続切替回路，２２…インバータ式安定器，２３…蛍光灯，２４…入力回路，２５…発振回路，２６…ハーフブリッジ回路，３２…従来の蛍光灯型ＬＥＤランプ，３２ａ〜３２ｎ…発光素子，３３…定電流回路，３９…高周波インバータ，Ａ・Ｂ…安定器，Ａ１・Ａ２・Ｂ１・Ｂ２・ａ１・ａ２・ｂ１・ｂ２…端子，ＢＬ１，ＢＬ２…分岐ライン，Ｃ１・Ｃ２…コンデンサ，Ｄ１〜４…ダイオード，Ｆ２１・Ｆ２２…フィラメント，Ｌ１…リアクトル，ＬＥＤ１・ＬＥＤ２…発光素子、Ｑ１・Ｑ２…ＥＴＦ，Ｒ１〜５…抵抗，ＳＷ１〜ＳＷ３…スイッチ，Ｐ１〜Ｐ４：接続点。
【図１】
2015109164.tif 000005
【図４】
2015109164.tif 000006
【図５】
2015109164.tif 000007
【図２】
2015109164.tif 000008
【図３】
2015109164.tif 000009